(57)【要約】【課題】  特定エリア内での撮影機器の保有する各機能を自動的に抑止・解除することができるようにする。【解決手段】  撮影機器の保持する機能を抑止するための信号を発信することのできる発信機20と、機能を抑止するための信号を受信する信号受信部11と信号の授受により撮影機器10内の機能を抑止制御する制御部12と、撮影機器の撮影部分に各機能の抑止状態を表示する表示部13および機能の抑止状態や定期的に発信機20から出力される信号を受信しなくなった時間を保有する記憶部14を有するカメラ付き携帯電話やデジタルカメラ等の撮影機器10が存在する特定エリア内において、発信機20から出力される信号を撮影機器10が受信することにより撮影機能を抑止する。また、特定エリア外に出た場合には、信号受信部11にて信号を受信しなくなってから一定時間経過後に抑止が解除される。【選択図】  図１
2005340980.tif 000002
【特許請求の範囲】
【請求項１】
通話や撮影などの機能を抑止するための信号を発信する手段とその信号を受信することで機能を抑止することができる撮影手段を有する特定エリア内において、電源の入力状態や信号を発信する手段が発する信号の受信状態により撮影手段が保持する抑止したい機能の抑止や解除ができるようになる抑止方法。
【発明の詳細な説明】
【技術分野】
【０００１】
本発明はカメラ付き携帯電話やデジタルカメラ等の撮影機能を持つ機器による不当な撮影を抑止する方法に関する。
【背景技術】
【０００２】
近年、カメラ付き携帯電話やデジタルカメラの普及に伴い、盗撮やデジタルコピーの被害も増加している。撮影機器により撮影する際にはシャッター音を鳴らすことで不当な撮影の防止を図っているが、騒音の多い場所等では撮影者を特定することが難しい。
【０００３】
また、携帯電話の通信機能を抑止するための方法としては携帯電話から基地局（アンテナ）を定期的に検索する際の電波と同じ周波数の電波を無線機から出力することで、干渉作用により通信機能を抑止することは可能だが、現状撮影機能に関しては電波の授受に影響を受けないため、前記方法による防止は不可能である。
【０００４】
撮影機能を抑止するシステムとして、撮影対象物が撮影されたことを検知する装置を備えることにより個人に対して盗撮を検知するシステムは特開２００３−１６３８２２号公報で知られている。
【０００５】
【特許文献１】特開２００３−１６３８２２号公報
【発明の開示】
【発明が解決しようとする課題】
【０００６】
しかし、上述の方式では撮影対象物毎に撮影されたことを検知する装置を備える必要があり、美術館や本屋などの多数の撮影対象物が存在する場所への配慮が欠けている部分があった。
【０００７】
つまり、一定エリア内の撮影を抑止したい場合に適さない問題点があった。
【０００８】
したがって本発明の目的は、一定エリア内での撮影を抑止する手段を以って撮影機能の抑止方法を提供することにある。
【課題を解決するための手段】
【０００９】
上記目的を達成するために、本発明は特定のエリア内において撮影を抑止するための信号を発信する手段を設ける。また、撮影機能を保持するカメラ付き携帯電話やデジタルカメラ内に、上記撮影を抑止するための信号を受信できる機能および受信したことにより撮影を抑止できる機能および撮影を抑止されていることを撮影機器に表示する機能を設けておく。
【００１０】
特定のエリア内に撮影機能を保持するカメラ付き携帯電話やデジタルカメラ等の撮影機器を保有するユーザが入ると、発信機は撮影を抑止するための信号を撮影機器に対して一定時間毎に発信し、撮影機器は電源がオンになっている場合には信号を受信し、受信によりシャッターボタンの押下を不可能にするよう制御することで撮影の抑止を行うと共に、抑止された旨のメッセージを撮影機器の表示部に表示する。
【００１１】
各機能の抑止機能の解除は、撮影機器を保有するユーザが特定エリアを退場した場合に、ある一定時間以上、発信機から出力される信号を受信しないことを検知した時点で撮影機器が特定エリア外に存在すると判断し、自動的に抑止機能が解除される。
【発明の効果】
【００１２】
本発明によれば、撮影機器の抑止および解除を発信機が発する信号の授受状態によって自動的に行うことができるため、特定エリア内での機能を抑止し、不当な撮影を防ぐことにより、撮影機器自体のセキュリティ面での信頼性を向上することができる。
【発明を実施するための最良の形態】
【００１３】
以下、本発明の実施の形態について図面により詳細に説明する。
【００１４】
図１は本発明を適用した実施のブロック図を示したものである。
【００１５】
図１において、10はカメラ付き携帯電話やデジタルカメラ等の撮影機能を保持する撮影機器を、20は撮影機器の保持する機能を抑止するための信号を発信することのできる発信機を示す。
【００１６】
撮影機器10は通話機能および撮影機能等を保持し、機能を抑止するための信号を受信する信号受信部11と信号の授受により撮影機器10内の機能を抑止制御する制御部12と、撮影機器の撮影部分に各機能の抑止状態を表示する表示部13および機能の抑止状態や定期的に発信機20から出力される信号を受信しなくなった時間を保有する記憶部14を有している。なお、記憶部14のデータは電源がオフにされても消えないものとする。また、発信機20は特定エリア内に設置され、撮影機器10の保持する機能のうち、抑止したい機能に応じて機能を抑止する為の異なる信号を発信する機能を有している。
【００１７】
次に、各機能の抑止方法を図２にフローチャートに従って説明する。
【００１８】
ここでは例として抑止したい機能を撮影機能に限定する。
【００１９】
撮影機器10を保有するユーザが機能を抑止する特定エリア内に存在しない場合には、記憶部14の機能の抑止状態はオフのままである（ステップ１０１）。撮影機器10が機能を抑止される特定エリア内に入ると、特定エリア内に存在する全ての撮影機器に対して発信機20から一定時間間隔で機能を抑止するための信号が出力される。信号の種類については赤外線や無線等、さまざまな種類が考えられるが、撮影機器内で受信可能な信号であれば、種類、周波数等は問わない。
【００２０】
撮影機器10は電源がオンの場合（ステップ１０２）、特定エリア内に存在すれば無条件に発信機20が出力する信号を信号受信部11が受信し（ステップ１０３）、特定エリア内で通話機能や撮影機能等、抑止したい機能がオフになっている場合（ステップ１０４）には、制御部12はユーザが撮影ボタンを押下しても撮影が不可能となるよう制御するとともに、撮影機器の撮影部位である表示部13に「撮影オフ」等の抑止状態を示して該当する機能が使用できないエリアであることを表示し（図４）、記憶部14の該当する「抑止状態」をオンにする（「受信終了時間」は初期値）（図３）。
【００２１】
発信機20から一定時間間隔で信号が発信されることにより、抑止対象となる撮影機器10が特定エリアに入場した際、電源がオンの状態の場合に特定機能が抑止されるだけでなく、入場後に電源をオンにした撮影機器に対しても発信機20から発せられる信号を受信した時点で抑止機能が実行される。なお、特定エリアへの入場時の抑止については、既に盗難防止等の目的で設置された赤外線ゲート等の入口から抑止するための信号を発生させることも予想される。一旦、撮影機器10の保持する機能が抑止されると、発信機20から出力される信号を受信している間は、継続して撮影機能を抑止された状態となる。
【００２２】
撮影機器10が特定エリア外に出た場合には、発信機20より出力される信号を受信しなくなった時点で、「抑止状態」がオンかつ「受信終了時間」が初期値の場合には、受信が終了した時間を記憶部14の「受信終了時間」に記憶させる。
【００２３】
受信終了時間からある一定時間経過後も継続して信号を受信していない場合には、撮影機器10が特定エリア外に存在すると判断し、撮影機器10内の制御部12は抑止中の機能の解除を行うとともに、表示部13に抑止が解除された状態を表示し、記憶部14の「抑止状態」をオフに、「受信終了時間」を初期値に戻す。
【００２４】
図３は撮影機器10内の記憶部14内に記憶されるデータ内容を示す。記憶部14には撮影機器の保持する各機能が抑止されているかどうかを示す「抑止状態」および発信機20が発する信号を受信しなくなり始めた時間を示す「受信終了時間」を設け、抑止を自動的に解除する判断の基準として保有する。
【００２５】
図４はまた撮影機器10内の表示部13に表示される内容を示す。各機能が抑止されているかどうかを示すためのメッセージ（機能名＋抑止状態（オン、オフ））を撮影機器を保有するユーザに分かるように画面上に表示する。
【００２６】
以上、本発明の実施の形態を示したが、本メカニズムは撮影機能に限定されることなく通話機能等、撮影機器の保有する別の機能を抑止したい場合にも適用できる。また、発信機20は、従来携帯電話の通話機能を抑止するための電波を発する機器の機能を拡張することにより、それまでのものをそのまま使用できる。
【図面の簡単な説明】
【００２７】
【図１】本発明の実施の形態を示すシステム構成ブロック図。
【図２】図１における抑止処理の手順を示すフローチャート。
【図３】記憶部内に記憶されるデータ内容の具体例を示す図。
【図４】表示部に表示される内容の具体例を示す図。
【符号の説明】
【００２８】
10…撮影機器、20…発信機。
【図１】
2005340980.tif 000003
【図２】
2005340980.tif 000004
【図３】
2005340980.tif 000005
【図４】
2005340980.tif 000006